(57)【要約】      （修正有）【課題】張設するシートをピンと張るために上下方向での位置調整を可能にした構造を有するシート張設用金具を提供する。【解決手段】足場用単管に着脱可能に形成されたクランプ４の前面に、大略逆Ｕ状部材又はＵ状部材によるクランプ前面から突出したブラケットを設け、ブラケットの前面に、隣合う２枚のシートの上，下端部における外側端のハトメを係止する左右一対のフック状のハトメピンを備えると共に、両ハトメピンの夫々の外側に、シートの上下端部のハトメを係止できるスライダを具備したレール本体の長さ方向端部を取付けるように形成したレール取付部６ａを具備する取付部材６を設ける。【選択図】図５
0003185236.tif 000002
【実用新案登録請求の範囲】
【請求項１】
足場用単管に着脱可能に形成されたクランプの前面に、クランプ前面から突出したブラケットを設け、該ブラケットの前面に、足場に張設するシートの上，下端部における外側端のハトメを係止する左右一対のフック状のハトメピンを備えると共に、両ハトメピンの夫々の外側に、前記シートの上下端部のハトメを係止できるスライダを具備したレール本体の長さ方向端部を取付けるように形成したレール取付部を具備する取付部材を設けたことを特徴とする工事用シートの張設用金具。
【請求項２】
ブラケットの前面と取付部材の背面は、ボルト止めで結合した請求項１に記載の張設用金具。
【請求項３】
取付部材のハトメピンが設けられている部位は、前記ハトメピンを含む左右幅で下方に延長形成し、その延長部に縦長に形成した長穴において前記ブラケットにボルト結合し、当該ブラケットに対して上下方向で移動，固定できるようにした請求項１又は２に記載の張設用金具。
【請求項４】
ハトメピンは、該ピンを形成する鉤又はフックの先端側が上向きと下向きの左右でペアになったピンを、上下で２組設けた請求項１〜３のいずれかに記載の張設用金具。
【請求項５】
ブラケットの前面に設けられた取付部材における左右のハトメピンと左右のレール取付部は、左と右のハトメピンおよび左と右のレール取付部が当該ブラケットの前面において９０度の角度を以て離隔配置されるようにした当該取付部材を形成した請求項１〜４のいずれかに記載の張設用金具。
【考案の詳細な説明】
【技術分野】
【０００１】
本考案は、ビル等の建物の新築，改修，解体，塗装等の現場で使用される様々な工事用シートを張設する際に用いて有用な工事用シートの張設用金具に関する。
【背景技術】
【０００２】
建築現場等では、工事建物の周りを囲んで単管と称される鋼管（以下、単管という）で足場を組み、その足場に布状や網状、ネット状等をなすシート状物（以下、工事用シート又は単にシートという）が張設されている。前記足場には、単管足場のほかに一側足場、枠組足場等の足場も含まれる。
【０００３】
単管で形成された足場に張設されるシートは、そのシート外周上に、張設用のハトメが等ピッチで設けられているので、そのハトメにロープや紐などを通して前記足場の単管に結束する手法であるため、その結束に手間がかかること、及び、シートの取外しにも煩雑な手間を要するという問題があった。従来、この点を改良した工事用シートの張設方法やこの方法に用いる張設具が、特許文献１〜３などにより提案されている。
【０００４】
このようなシート張設の仕方を採用すると、シートをピンと張った状態で張設できるため、見た目が良好になるのみならず、採光や通気も良好になり、特に、マンションやオフィス等に人が居住したまま、或は、オフィスを使用したままでの改修用足場に張設するネット状シートの張設に好適であった。
【０００５】
しかし乍ら、上記の特許文献１〜３に開示されたレール状の張設具は、レール状本体にシートのハトメを掛止できるようにしたスライダを設けることにより、シートのハトメを前記スライダに掛止させるだけで紐による結束作業をなくした技術であったが、レール状本体を足場の水平な単管に取付けるために未だ、解決すべき問題が残った。すなわち、前記の当該レール状張設具に、その長さ方向において適宜ピッチで長孔を設け、この長孔に針金又はロープもしくはバックル付ベルトなどを通して水平な単管に取付けなければならないため、未だロープや針金などにより足場の単管にレール状張設具を取付けたり取外したりしなければならないという作業上の問題が残ったのである。
【０００６】
一方、工事用シートの張設においては、使用するシートにメーターサイズ（幅がメーター単位）のシートとインチサイズ（幅がインチ単位）のシートがあるため、いずれのサイズのシートを張設するかによって、足場を組立てる単管の設置間隔も異なっているという事実が知られている。
【０００７】
この点に鑑み本考案の考案者は、先に、工事用シートをシワのない状態でピンと張って取付けることができる上に、張設したシートをカーテンのようにスライドして開閉可能に支持することができるだけでなく、メーターサイズのシート用足場、或は、インチサイズのシート用足場のように足場を形成する単管の立設ピッチが異なる縦向き単管であっても、同一部材で取付けを可能にする構造を備えたジョイントレールと当該レールを単管に支持するためのレール受金具から成るシート張設具を特許文献４として提案した。
【先行技術文献】
【特許文献】
【０００８】
【特許文献１】特許第２１０４９５２号公報
【特許文献２】特許第２５９０７３１号公報
【特許文献３】特開平８−２３２４７７号公報
【特許文献４】実用新案登録第３１８０３４３号
【考案の概要】
【考案が解決しようとする課題】
【０００９】
しかし、先に提案したシート張設具では、足場にシートをピンと展張させて張設する上で未だ不十分な点があるため、本考案では、メーターサイズとインチサイズのいずれのシートであっても掛止できるようにしたレール本体を取付けることができることは勿論、張設するシートをピンと張るために上下方向での位置調整を可能にした構造を有するシート張設用金具を提供することを課題として考案が完成されたものである。
【課題を解決するための手段】
【００１０】
上記課題を解決することを目的としてなされた本考案シート張設用金具の構成は、足場用単管に着脱可能に形成されたクランプの前面に、大略逆Ｕ状部材又はＵ状部材による前記クランプ前面から突出したブラケットを設け、該ブラケットの前面に、隣合う２枚のシートの上，下端部における外側端のハトメを係止する左右一対のフック状のハトメピンを備えると共に、両ハトメピンの夫々の外側に、前記シートの上下端部のハトメを係止できるスライダを具備したレール本体の長さ方向端部を取付けるように形成したレール取付部を具備する取付部材を設けたことを特徴とするものである。
【００１１】
上記構成において、ブラケットの前面と取付部材の背面は、ボルト止めで結合できる構成とする。また、取付部材においてハトメピンが設けられている部位は、当該ハトメピンを含む左右幅で形成部材下方に延長し、その延長部に縦長に形成した長穴において前記ブラケットにボルト結合し、取付部材をブラケットに対して上下動させて位置決めする形態のものがある。
さらに、前記ハトメピンは、鉤状部材又はフック状部材の先端側が、上向きと下向きで左右一対のペアになったハトメピンを、上下で２組設けたものもある。
【考案の効果】
【００１２】
本考案では、可動部がジョー開閉式になって足場用の単管に固定できるように形成されたクランプの固定部の前面に、平面から見て大略Ｕ状又は逆Ｕ状部材によるブラケットを設け、該ブラケットの前面に、隣合う２枚のシートの上，下端部における外側端のハトメを係止する左右一対のフック状のハトメピンを備えると共に、両ハトメピンのそれぞれの外側に、前記シートの上下端部のハトメを係止できるスライダを具備したレール本体の長さ方向の端部を取付けるように形成したレール取付部を具備した取付部材を設けたことによってシート張設用金具を構成したので、幅方向でサイズが微妙に異なるメーターサイズとインチサイズの工事用シートのために組立てられた立ち位置に差異がある足場の双方の縦向き単管に取付けることができ、どちらの幅サイズのシートであっても同様の仕様でピンと張った状態で足場にシートを張設することができる。
【図面の簡単な説明】
【００１３】
【図１】本考案シート張設用金具を用いたシート張設例の概要を示す正面図。
【図２】図１のシート張設例の右側面図。
【図３】水平レール３ｈの要部を構成するレール本体Ｒの正面図。
【図４】図３のＡ−Ａ矢視図。
【図５】本考案シート張設用金具の第一例の平面図。
【図６】図５の金具の正面図。
【図７】図５，図６の金具の右側面図。
【図８】図５〜図７の本考案金具の別例の正面図。
【図９】図８の金具の右側面図。
【図１０】コーナー用の本考案金具の一例の平面図。
【図１１】図１０の金具の正面図。
【図１２】図１０，図１１の金具の右側面図。
【図１３】図１０〜図１２のコーナー用金具の別例の平面図。
【図１４】図１３の金具の正面図。
【考案を実施するための形態】
【００１４】
次に、本考案シート張設用金具の実施の形態例について、図を参照して説明する。
図１，図２において、Ｗｓは単管を主体に組立てた足場で、ここでは水平向きに配置された足場用単管を水平部材１ｈ（又は、横部材１ｈともいう）、垂直向きに配置された単管を垂直部材１ｖ（又は、縦部材１ｖともいう）とする。
【００１５】
上記足場Ｗｓには、工事用シート２が張設される。シート２は、例えば、１枚の左右幅が約１．８ｍ〜１．９ｍ、長さ（上下幅）が約３．８ｍ〜５．１ｍの範囲の大きさのシートが用いられ、シート生地としては、メッシュ地，織地等によるものが用いられる。本考案が適用される工事用シート２はこれに限られるものではない。
【００１６】
上記足場Ｗｓにおいて、最上位と最下位の単管による水平部材１ｈには、図３，図４に概要を例示する水平レール３ｈが、また、張設されるシート２の左右幅に合せて立設された単管による各垂直部材１ｖには、前記水平レール３ｈと略同形態の垂直レール３ｖが設けられている。
【００１７】
すなわち、各レール３ｈ，３ｖは、図３，図４に概要を例示したように、大略カーテンレールと同様に長さ方向に沿った溝Ｇを有するレール本体Ｒと、このレール本体Ｒの溝Ｇにスライド自在に架装された複数個のスライダＳと、このスライダＳに設けられたシート２のハトメ２ａを係止するためのＬ状ピン等によるハトメピンＰと、このレール本体Ｒを後に述べる本考案金具ＭＣに取付けるための取付穴Ｈとから形成されている。図３，４において、ＢはスライダＳとハトメピンＰを繋ぐブラケットであり、ハトメピンＰはブラケットＢにナットで止められている。なお、図３，４のレール本体Ｒは、溝Ｇが当該レール本体Ｒの長さ方向の上，下に２列形成されているが、溝Ｇは一列のレール本体Ｒもある。
【００１８】
図１の例では、２枚のシート２，２が、上，下方向で並べられて両シートの継ぎ目となる境界が、その位置のハトメ２ａ，２ａにおいて紐やリングなどにより結束されて接続されており、このようにして上下方向で接続された当該２枚のシート２，２の上，下辺の各ハトメ２ａが、足場Ｗｓの最上位と最下位に設けた水平レール３ｈの各ハトメピンＰに係止されてこの足場Ｗｓに張設されている。なお、シート２，２の上下辺における最も外側のハトメ２ａは、後述する本考案金具ＭＣのハトメピン６ｂ（６１ｂ）に係止させる。この点については後述する。
【００１９】
この実施例では、一例として２枚のシート２，２を縦列連結したシート２を、張設単位として上記足場Ｗｓに張設するものとして説明する。
すなわち、２枚の連結シート２の上，下辺の各ハトメ２ａは、それぞれ足場Ｗｓの上，下に設けた水平レール３ｈが備えたレール本体Ｒの各スライダＳのハトメピンＰに、夫々に係止されることによりこの連結シート２が足場Ｗｓに取付けられている。
そして、前記上，下の水平レール３ｈは、上位の水平レール３ｈが当該レール３ｈの左右の端部に対応して位置している２本の単管による垂直部材１ｖの上方に、また下位の水平レール３が前記２本の垂直部材１ｖの下方に、それぞれクランプ４によって固定された左右の本考案金具ＭＣのレール取付部６ａに取付けられることによって、この足場Ｗｓに架装されている。
【００２０】
本考案は、一例として縦列連結した２枚のシート単位のシート張設に当り、単管による水平部材１ｈと垂直部材１ｖにより組立てられた足場Ｗｓに対し、前記連結シート２の大きさに合せて当該足場Ｗｓに配設した水平レール３ｈと垂直レール３ｖが備えたレール本体ＲのハトメピンＰに、当該シート２の外周上のハトメ２ａを係止させる一方、前記レール３ｈを、垂直部材１ｖに取付けた本考案シート張設用金具ＭＣによってこの足場Ｗｓに取付けるようにしたものであるから、このシート張設用金具ＭＣについて、図５〜図１４を参照しつつ、以下に説明する。なお、足場Ｗｓに張設するシートの張設単位は、上記の例は一例であって本考案はこれに限定されるものではない。
【００２１】
図５〜図７は、図１，図２に例示した足場Ｗｓの最下（図では下から２番目）に設けた単管による水平部材１ｈに対応する高さにおいて、各垂直部材１ｖに設けた本考案張設用金具ＭＣ（以下、本考案金具ＭＣともいう）の第一例を示すものである。
【００２２】
図５〜図７の本考案金具ＭＣの第一例において、４は公知のジョー開閉式のクランプで、開閉できる可動部４１のジョーを固定部４２にボルト，ナットによる緊締具４３によって固定することにより、単管による垂直部材１ｖの任意の位置にこの金具ＭＣを取付けて固定することができる。
【００２３】
前記クランプ４の固定部４２の前面には、スペーサとして作用する大略Ｕ状（又は逆Ｕ状）のブラケット５が設けられている。そしてこのブラケット５の前面には、水平レール３ｈの取付支持部をレール支持部６ａとして左右方向に突出させて具備すると共に、上部に、左右に並んだ２本の下向きのハトメピン６ｂ，６ｂを設けており、そのピンの下部を下方に延ばして上下位置の調整部６ｃに形成した取付部材６が、当該ブラケット５に対し上下動可能に設けられている。取付部材６のブラケット５に対する上下動は、ブラケット５の前面に前向きに設けたボルト５ａに、当該取付部材６を、その調整部６ｃに設けた長穴６ｄを通して支持させ、長穴６ｄの長さ内で上下方向の位置を調整してナット５ｂを緊締することによりなされる。
【００２４】
図５〜図７の本考案金具ＭＣにおいては、レール支持部６ａには、上，下部に前方へ翼状に突出した補助片６１ａと、レール本体Ｒの取付位置を左右方向で微調整することが出来るように横長穴により形成した取付穴６２ａが設けられている。ここで長穴による取付穴６２ａは、垂直部材１ｖの立設位置が、シート２の種類（メーターサイズとインチサイズ）によって異なるという、立設位置の違いによる差異を吸収するために、長穴によって形成されている。
【００２５】
図５〜図７により説明した本考案金具ＭＣの第一例は、張設したシート２の最下辺の各ハトメ２ａを係止する下向きハトメピン６ｂを有する金具であった。図８，図９に示す本考案ＭＣの第二例は、上記の第一例の金具ＭＣと次の点で異なっている。
【００２６】
すなわち、図８，図９の本考案金具ＭＣの第二例は、まず、左右のレール支持部６ａ，６ａに挟まれた部位に、２本の下向きハトメピン６ｂ，６ｂに加え、このピン６ｂ，６ｂの下方に２本の上向きハトメピン６１ｂ，６１ｂが設けられている。次に、図５〜図７の第一例の金具ＭＣで具備していた取付位置の調整部６Ｃの構成を有していない。この２点において、図８，図９の本考案金具ＭＣの第二例は、図５〜図７の第一例の金具と異なっている。なお、図８，図９において、図５〜図７の例と同一部材，同一部位には同じ符号を用いている。
【００２７】
図８，図９の本考案金具ＭＣの第二例は、図１，図２の足場Ｗｓにおいて、最上位の水平レール３ｈが設けられる位置に対応した垂直部材１ｖを形成する各単管に、そのクランプ４により取付け固定される。そして、図１，図２の足場Ｗｓに張設されるシート２における最上位辺の両外側端のハトメ２ａを除いた中間部の各ハトメ２ａを、図８，図９の金具ＭＣが支持した水平レール３ｈのハトメピンＰに係止させると共に、外側端のハトメ２ａを、この金具ＭＣの上向きハトメピン６１ｂに係止させるのである。
【００２８】
このようにして、図１，図２における２枚を縦列連結したシート２の最上位辺と最下位辺の各ハトメ２ａを、最上位と最下位の各水平レール３ｈと本考案金具ＭＣにおける各ハトメピンＰ，６ｂ，６１ｂに係止させる。
【００２９】
上記シート２の張設状態において、縦列連結した２枚のシート２を足場Ｗｓの上でピンと張るために、この実施例では最下位の金具ＭＣに支持されている水平レール３ｈを下方へ引下げて固定する（下方へ移動させて固定する）ようにした。
【００３０】
このため、クランプ４のブラケット５に、長穴６ｄとその穴６ｄを通したボルトナット５ａ，５ｂを介して取付けられている取付部材６を、前記ナット５ｂを緩めて引下げることによりシート２を張り上げ、しかる後ナット５ｂを締め込んでこの状態を固定する。なお、図６，図７は、取付部材６の位置をクランプ４とブラケット５に対して最大限引下げた状態である。
【００３１】
このようにして、足場Ｗｓに張設した縦列連結シート２は、その上，下端辺のハトメ２ａが、足場Ｗｓにおける上，下位の水平レール３ｈのハトメピンＰにそれぞれ係止されていると共に、上，下端の本考案金具ＭＣにおける取付部材６が備えた下向きハトメピン６ｂと上向きハトメピン６１ｂとに、前記シート２の上下辺の左右両外端のハトメ２ａが係止されているから、当該金具ＭＣが支持した下端部の水平レール３ｈをその取付部材６と一緒にその金具ＭＣ上で下方へ調整移動させて位置決め固定することにより、シート２をピンと張った状態にして足場Ｗｓに張設することが可能になる。
【００３２】
前記シート２の下端辺のハトメ２ａを係止したハトメピンＰを有するレール本体Ｒによる最下位の水平レール３ｈを、シート２を張ったまま前記金具ＭＣの上で下方へ調整変位させるためには、本考案金具ＭＣの調整部６ｃに設けた連結穴６ｅに、ラチェット式の緊張機ＴＭの作用部（前端側）を連結すると共に該緊張機ＴＭの後部を最下の固定水平部材１ｈに結合させた状態にして、この緊張機ＴＭを当該金具ＭＣと前記水平部材１ｈの間に架設する。この緊張機ＴＭは、図１，図２に例示するように、縦列連結シート２の下端部の左右の両外端部に配置して、左右の両機ＴＭを同時に操作してシート２の全幅において縦方向の展張力を作用させる、つまり、本考案金具ＭＣの取付部材６をクランプ４とブラケット５に対して水平レール３ｈごと引き下げるように作用させて用いる。
【００３３】
本考案では、足場Ｗｓに張設したシート２は、その上下端辺の各ハトメ２ａが水平レール３ｈのハトメピンＰと、このレール３ｈを支持した本考案金具ＭＣのハトメピン６ｂ，６１ｂに係止されているので、緊張機ＴＭの緊張を緩めて前記金具ＭＣのハトメピン６ｂ，６１ｂからシート２の上下端辺における外側端のハトメ２ａを外すと、水平レール３ｈのハトメピンＰに各ハトメ２ａが係止されている該シート２は、上下の水平レール３ｈ，３ｈの間において、あたかもカーテンのように、水平方向に開くことができる。
【００３４】
図５〜７、図８，図９により説明した本考案金具ＭＣの第一例と第二例は、足場Ｗｓの平坦面にシート２を張設する場合に用いて有用な金具であった。本考案における上記金具ＭＣの利便性は、シート２が９０度ターンする足場Ｗｓのコーナー部に張設される場合の金具においても有用であるから、以下に足場Ｗｓのコーナー部に張設されるシート２に適用して有用な本考案金具ＭＣの例について、図１０〜図１４を参照して説明する。
【００３５】
図１０〜図１２に示す本考案金具ＭＣの第三例は、高さ調節機能を有するコーナー用金具で、先に図５〜図７により説明した本考案金具ＭＣの第一例に対応する金具である。
また、図１３，図１４に示す第四例のコーナー用金具ＭＣは、先に図８，図９により説明した高さ調整機能を持たない第二例の金具ＭＣに対応するものである。
【００３６】
夫々の対応関係にある各本考案金具ＭＣにおいて、図５〜図９で説明した例の本考案金具ＭＣと、図１０〜図１４の例の本考案金具で異なる点は、クランプ４の固定部４２に取付けられるブラケット５の平面形状が異なること、従って、このブラケット５に取付けられる取付部材６の平面形状も異なることの２点である。
図４〜図６の第一例の本考案金具ＭＣと図１０〜図１２の第三例の本考案金具ＭＣは、用途が平坦部用とコーナー部用の違いはあっても、高さ調整機能を有する点で共通しており、また、図７，図８の第二例の本考案金具ＭＣと図１３，図１４の第四例の本考案金具ＭＣも、平坦部用とコーナー部用の違いはあっても、高さ調整機能を有しない点で共通している。
【００３７】
従って、図１０〜図１２に示した本考案金具ＭＣの第三例、図１３，図１４で示した本考案金具ＭＣの第四例とも、図５〜図７、及び、図８，図９で説明した本考案金具ＭＣと同一部材，同一部位には同じ符号を用いている。
【００３８】
本考案シート張設用金具は以上の通りであるから、単管等で形成された足場に張設される工事用シートを、その足場にピンと展張した状態で張るための金具としてきわめて有用である。
【符号の説明】
【００３９】
Ｗｓ  足場
１ｈ  水平部材（水平単管）
１ｖ  垂直部材（垂直単管）
２    シート
２ａ  ハトメ
３ｈ  水平レール
３ｖ  垂直レール
Ｒ    レール本体
Ｇ    溝
Ｓ    スライダ
Ｂ    ブラケット
Ｐ    ハトメピン
ＭＣ  本考案金具
４    クランプ
５    ブラケット
６    取付部材
６ａ  レール取付部
６ｂ，６１ｂ  ハトメピン
６ｃ  調整部
６ｄ  縦長穴
６ｅ  連結穴
【図１】
0003185236.tif 000003
【図２】
0003185236.tif 000004
【図３】
0003185236.tif 000005
【図４】
0003185236.tif 000006
【図５】
0003185236.tif 000007
【図６】
0003185236.tif 000008
【図７】
0003185236.tif 000009
【図８】
0003185236.tif 000010
【図９】
0003185236.tif 000011
【図１０】
0003185236.tif 000012
【図１１】
0003185236.tif 000013
【図１２】
0003185236.tif 000014
【図１３】
0003185236.tif 000015
【図１４】
0003185236.tif 000016